(57)【特許請求の範囲】
【請求項１】
樹幹の外周に装着されるネット状のプロテクター本体と、該プロテクター本体の外周に突設された湾曲可能な複数の突起と、プロテクター本体の外面に形成されたペットボトルを保持するペットボトルの保持部を備えることを特徴とする樹幹プロテクター。
【請求項２】
プロテクター本体の内側には、樹幹に弾接する弾接部材が突設されていることを特徴とする請求項１記載の樹幹プロテクター。
【発明の詳細な説明】
【０００１】
【発明の属する技術分野】
本発明は、樹幹をニホンジカ等の野生動物から保護する樹幹プロテクターに関し、とくに樹幹に装着されるネット状のプロテクター本体に、ペットボトルや突起を突設することで、樹幹に野生動物が接近・接触しないようにした樹幹プロテクターに関するものである。
【０００２】
【従来の技術】
近年、野生動物による森林被害が深刻な問題になっている。例えば、野生動物による樹皮の食害、マーキング、肌擦りによる樹皮の剥離被害が知られている。食害とは、ニホンジカ、ニホンカモシカ等がスギ、ヒノキ、マツ等の樹皮を餌にすることである。また、マーキングとは、雄ジカが発情期にハーレムをつくるためにテリトリーを主張する行動。具体的には樹幹での角研ぎ、角擦り、樹皮剥ぎ、臭い付け等のマーキング行動である。さらに、肌擦りとは、マーキングやダニ落しの時、樹皮やそれを覆っている凹凸物で肌を擦る習性があり、これは特にイノシシが強力に行うものである。
【０００３】
従来、このような野生動物による森林被害を防止する技術として、例えば、特開２００１−２１１７６４号公報に記載された食害防止用ネットを樹幹に装着して保護するようしたものがある。すなわち、樹幹の表面をネット状部材により覆って樹皮を食べることを防止するようにしたものである。
【０００４】
【発明が解決しようとする課題】
しかしながら、ニホンジカ等の野生動物はネット部材に角、頭、胴体を当て、ネット部材を破損したり、ネット部材の外から樹幹を傷付けることもある。特にイノシシの肌擦りは強烈で、二重、三重のプロテクトが必要である。
本発明は、上記のような従来技術の問題点に鑑み、野生動物による食害、マーキング、肌擦りによる樹皮の剥離等の樹幹被害を防御することができる樹幹プロテクターを提供することを目的とするものである。
【０００５】
【課題を解決するための手段】
このため本発明は、樹幹の外周に装着されるネット状のプロテクター本体と、該プロテクター本体の外周に突設された湾曲可能な複数の突起と、プロテクター本体の外面に形成されたペットボトルを保持するペットボトルの保持部を備えることを第１の特徴とする。また、プロテクター本体の内側には、樹幹に弾接する弾接部材が突設されていることを第２の特徴とする。
【０００６】
本発明に係るネット状のプロテクター本体は、ネット状部材で樹幹の外周を覆い、着脱可能に装着される。プロテクター本体は湾曲可能な合成樹脂により矩形に作製し、その左右両端を着脱自在に連結する連結部を設ける。プロテクター本体の外側には細長い帯状の突起を複数本設ける。これら突起は、樹幹の直径方向外向きに延びて放射状を呈し、プロテクター本体の外周に間隔をあけて配置される。
【０００７】
また、プロテクター本体の外側面にはペットボトル保持部を複数設け、これらペットボトル保持部は、プロテクター本体の外周に間隔をあけて配置する。ペットボトル保持部にはペットボトルが着脱自在に保持されるが、このペットボトルは空容器を使用する。プロテクター本体の内側面には、伸縮可能な弾接部材を突出して設け、弾接部材の中間部分が樹幹の表面に弾力的に当接するようにする。
【０００８】
本発明の樹幹プロテクターは、樹幹外周に装着したプロテクター本体を基盤に複数のペットボトルと、このペットボトルをプロテクター本体に結束固定した帯状突起から形成される。樹皮の採餌、マーキングの臭い付け、角研ぎ、肌擦りのため、樹幹に被害を与えるニホンジカ等の野生動物の行動を積極的に防御するものである。すなわち、帯状突起は、樹幹に接近・接触するニホンジカ等の野生動物の行動を積極的に防御する。また、ニホンジカ等の野生動物はペットボトルの人工光沢、感触に忌諱反応を示す。さらに、ペットボトルで臭い付けが阻止され、樹幹も保護される他、ネット状プロテクター本体で樹幹を保護し、既に傷付いた樹幹は治癒される。
【０００９】
本発明では、ペットボトルの空容器を使用するので、廃棄物再利用の一助となる。また、プロテクター本体に弾接部材を設けたので、樹木の成長による樹幹の直径の変化に対応して、弾接部材が樹幹に対し弾力的に接触することで、装着時にプロテクター本体の直径も柔軟に対応する。したがって、樹幹の直径が多少異なっても、プロテクター本体を樹幹にしっかりと固定することができる。なお、樹種にもよるが、許容成長量を３〜５年に設定した。
【００１０】
【発明の実施の形態】
以下に、本発明の実施の形態を図面に示す実施例に基づいて説明する。図１は本発明に係る樹幹プロテクターを示す斜視図、図２は樹幹プロテクターを樹幹に取付けた状態を示す一部断面平面図、図３は樹幹プロテクターのペットボトル保持部を示す斜視図である。
本発明に係る樹幹プロテクターは、全体を湾曲可能な合成樹脂製とし、ネット状のプロテクター本体に、樹幹の放射方向に延びる柔軟な帯状突起を突設すると共に、帯状突起の根元部分にペットボトル保持部（結束巻回バンド）を設け、プロテクター本体の内側には、樹幹に弾接する弾接部材を形成し、太さの違う樹幹や樹幹の成長量を考慮して弾力的に対応可能としたものである。
【００１１】
【実施例】
図１において、プロテクター本体１は、樹幹２の外周表皮面を被覆保護し、着脱可能に取り付けられたものである。湾曲可能な合成樹脂素材によりネット状に作成されている。これを展開すると、平面形状は矩形になる。ネット状に作製されたプロテクター本体１のネット状メッシュは約１ｃｍ×１ｃｍで、合成樹脂素材の帯状突起７、８やペットボトル１１を固定する基盤にもなるので、堅牢なものほどよく、ニホンジカ等の野生動物が幹２に接触しないように設定されている。
【００１２】
プロテクター本体１の内側面には、伸縮自在な弾接部材３が突設され、弾接部材３はプロテクター本体１と同様に、湾曲可能な合成樹脂素材により作製されている。弾接部材３の中間部分は、プロテクター本体１の内側に突出し膨らみ、突出部分は平面略Ｗ形（波形）に曲折した形状又は略Ｃ形に湾曲した形状とされている。このため、プロテクター本体１の装着時、弾接部材３の突出部分は、樹幹２の直径寸法が多少異なっても、そのクッション作用により樹幹２の外周面に弾接して密着するようになっている。この弾接部材３は、プロテクター本体１と一体に設けてもよいし、あるいは別部材にして留め具４によりプロテクター本体１に取り付けてもよい。なお、この留め具４の先端側は帯状突起７を形成している。
【００１３】
プロテクター本体１の端部の上下二箇所には、その左右両端を着脱自在に連結する連結部材５が設けられ、この連結部材５の先端側は帯状突起７を構成している。プロテクター本体１の外側には、帯状突起７、８が所要の本数だけ外向きに設けられている。そのうち帯状突起７は、プロテクター本体１の外周方向に略９０度毎に位相して配設され、一方帯状突起８は、前記帯状突起７の間に一対の組をなして配設されている。各帯状突起７、８は、湾曲可能な合成樹脂素材により作製され、先端は尖るように細く形成されている。この先端尖り部分の硬さと鋭さは、野生動物に不快感を感じさせるが、野生動物を直接傷付けることはなく、勿論人間も怪我させることはない。各帯状突起７、８は、プロテクター本体１の直径方向外方に所要の長さ（約１７センチ）延び、図２に示すように、上方からみると全体として帯状突起７、８は、樹幹２を中心に放射状に突出している。
【００１４】
帯状突起８の基端側部分は、ペットボトル保持部の役目をなす結束巻回部９とされている。結束巻回部９の基端に係止（孔）部１０が形成され、結束巻回部９の中間部分は、プロテクター本体１の網目を横方向にくぐり通っている。この結束巻回部９の先端側部分は、プロテクター本体１の外表側に出たのち、係止部１０を貫通して略ロ字状を形成し、このロ字状部分はペットボトル保持部とされている。つまり、ペットボトル１１の胴体部外周を結束巻回部９により巻回した状態で、係止部１０に結束巻回部９の先端側部分を貫通して係止固定している。このことによりペットボトル１１は、結束巻回部９によって着脱自在に巻回保持されている。図３に示すように、ペットボトル１１は複数本の結束巻回部９により、胴体部の上下箇所を巻回結束することができる。この場合、結束巻回部９の係止部１０は、左右交互に位置するように配設する。なお、ペットボトル１１は、空容器を使用する。帯状突起７、８及び結束巻回部９の内側表面には係止部１０に係合される細かなギャザー６が刻設されている。
【００１５】
次に、この樹幹プロテクターの作用について説明する。
樹幹２に樹幹プロテクターを装着するには、プロテクター本体１を樹幹２に巻回装着して、弾接材部３の中間部分を樹幹２の外周面に弾接密着させる。次に、連結部材（リセット付き結束バンド）５によりプロテクター本体１の左右両端を連結する。そして、ペットボトル１１の胴部外周を結束巻回部９により巻回し、係止部１０に帯状突起８の中間部分を貫通させて係止固定する。これにより、プロテクター本体１の周囲にペットボトル１１が保持されると共に、各帯状突起８は、プロテクター本体１の直径方向外向きに水平に延びた状態になる。
【００１６】
この樹幹プロテクターは、図２に示すように、プロテクター本体１を基盤にして、外側に帯状突起７、８、その内側にペットボトル１１が樹幹２の周囲を覆うように取り付けられている。ニホンジカ等の野生動物が樹幹２に接近・接触しようとすると、突出した帯状突起７、８で樹幹２をプロテクトする。ペットボトル１１の人工光沢、感触にニホンジカ等の野生動物は忌諱反応を示す。また、ペットボトルは堅牢で外圧に強く、マーキングの臭いが着き難い。
【００１７】
このように、イノシシなどが樹皮の凹凸部で肌をこすったり、あるいは雄ジカが角研ぎ、角こすり、樹皮剥ぎ、臭い付け等のマーキングなどの行動が阻止される。この場合、樹幹２に装着したプロテクター本体１が野生動物によって壊されたり、あるいは樹幹２から離脱することはない。
【００１８】
勿論、ニホンジカ、ニホンカモシカ等がスギ、ヒノキ、マツ等の樹皮を餌にすることは確実に阻止される。また、樹幹２の表面が既に傷付いていた場合は、この樹幹プロテクターを装着することで、野生動物による食害やマーキングから樹幹２を保護して養生回復が期待される。
【００１９】
この樹幹プロテクターでは、プロテクター本体１の内周側の弾接部材３は、装着時に樹幹２の周面に弾力的に当接するので、樹幹２が成長して太くなっても、あるいは直径の異なる樹幹２にプロテクター本体１を装着する場合でも、プロテクター本体１を樹幹２に密着させて取り付けることができる。また、ペットボトル１１は使い済みのものを使用するので、廃棄物の再利用が可能になる。
【００２０】
なお、本発明は上記実施例に限定されず、本発明の趣旨を逸脱しない範囲で、種々の応用変形が可能である。すなわち、
（１）プロテクター本体を樹幹に上下数段に配置して取り付けることができる。
（２）プロテクター本体は展開形状を対象樹幹のサイズによっては縦長に形成して使用することがある。
（３）上記実施例ではプロテクター本体に２個１組のペットボトル保持部を４組設けたが、対象とする樹幹の大きさや樹径等に応じて、またペットボトルのサイズの違い（０．５リットルや１．５リットルといった容量の違い）に応じてペットボトル保持部を適宜変更できる。
【００２１】
【発明の効果】
以上のように本発明によれば、樹幹に装着されるネット状のプロテクター本体に複数の突起を設け、ペットボトルを保持固定したことにより、ニホンジカ等の野生動物は人工物を嫌って忌諱反応を示す。また樹幹に接近・接触しようとすると突起の先端で、その動作が阻まれ、もって野生動物による食害、マーキング、肌擦り等による樹幹被害を防止することが出来る。
【００２２】
また、野生動物は樹幹に接近・接触する行動を忌諱するので、樹幹プロテクターによる決定的なダメージを受けることは考えられない。また、ニホンジカ等の野生動物によって既に傷付いた樹幹は樹幹プロテクターによって保護されて養生回復を図ることができるという優れた効果がある。
【００２３】
本発明では、ペットボトルは空容器を使用するので、廃棄物再利用方法としても好ましいものとなる。また、プロテクター本体の内側に弾接部材を設けたものでは、筒状に構成したプロテクター本体に伸縮機能が付加されるので、樹幹の太さが異なっても、プロテクター本体を樹幹に密着させて覆うことができる。
【図面の簡単な説明】
【図１】本発明に係る樹幹プロテクターを示す斜視図である。
【図２】樹幹プロテクターを樹幹に取付けた状態を示す一部断面平面図である。
【図３】樹幹プロテクターのペットボトル保持部を示す斜視図である。
【符号の説明】
１    プロテクター本体
２    樹幹
３    弾接部材
４    留め具（結束バンド）
５    連結部材（リセット付き結束バンド）
６    ギャザー
７    帯状突起
８    帯状突起
９    結束巻回部（ペットボトル保持部）
１０  係止（孔）部
１１  ペットボトル
【図１】
0003646260.tif 000002
【図２】
0003646260.tif 000003
【図３】
0003646260.tif 000004